(57)【要約】【課題】  乗りかごの休止階を基準階又は避難階である最上階に決定し休止させ得る。【解決手段】  基準階のエレベータホール１に設置され、ホール呼びボタン４と通常運転、休止運転の何れかに切替え設定するパーキングスイッチ５とを有するホール操作パネル３と、エレベータの運転制御を実行するエレベータ制御盤６とを備え、このエレベータ制御盤６は、パーキングスイッチが休止運転に設定されたとき、ホール呼びボタンの上階行きボタンの所定操作の有無を判断し、休止階を最上階または基準階に決定する休止階決定手段６Ａと、休止階が最上階と決定された場合、乗りかご８を基準階に運転後、最上階へ移動して休止させる休止運転制御手段６Ｂとを設けたエレベータのパーキング運転制御装置である。【選択図】図１
2009249171.tif 000002
【特許請求の範囲】
【請求項１】
常時はエレベータの乗りかごを通常運転で制御し、昇降路に雨水が浸入するときに当該乗りかごを休止階に休止させる休止運転で制御するエレベータのパーキング運転制御装置において、
基準階のエレベータホールに設置され、ホール呼びボタンと通常運転、休止運転の何れかに切替え設定するパーキングスイッチとを有するホール操作パネルと、
エレベータの運転制御を実行するエレベータ制御手段とを備え、
このエレベータ制御手段は、前記パーキングスイッチが休止運転に切替え設定されたとき、前記ホール呼びボタンの上階行きボタンの所定操作の有無を判断し、前記休止階を最上階または基準階に決定する休止階決定手段と、前記休止階が最上階と決定された場合、前記乗りかごを前記基準階へ運転して乗客を降ろし、前記最上階へ移動して休止させる休止運転制御手段とを設けたことを特徴とするエレベータのパーキング運転制御装置。
【請求項２】
請求項１に記載のエレベータのパーキング運転制御装置において、
前記乗りかご内に音声出力器をさらに設け、
前記エレベータ制御手段には、前記休止階決定手段により前記休止階が最上階と決定された後に前記乗りかごを前記基準階に到着させるときに、予め定めた避難休止案内のメッセージを送出し前記音声出力器から報知する報知手段をさらに設けたことを特徴とするエレベータのパーキング運転制御装置。
【請求項３】
請求項１または請求項２に記載のエレベータのパーキング運転制御装置において、
前記基準階のエレベータホールにホール表示部をさらに設け、
前記エレベータ制御手段には、前記休止階決定手段により前記休止階が最上階と決定された後に前記乗りかごを前記基準階に到着させるときに、予め定めた避難休止案内のメッセージデータを送出し前記ホール表示部に表示する表示制御手段をさらに設けたことを特徴とするエレベータのパーキング運転制御装置。
【請求項４】
請求項１ないし請求項３の何れか一項に記載のエレベータのパーキング運転制御装置において、
前記エレベータ制御手段における休止階決定手段は、前記上階行きボタンが所定操作無しと判断した場合にネットワークを介して外部から天気情報を取り込み、所定の時間以内に大雨が降ると予想したとき、前記上階行きボタンが所定操作無しと判断した場合でも、前記休止階を最上階と決定することを特徴とするエレベータのパーキング運転制御装置。
【発明の詳細な説明】
【技術分野】
【０００１】
本発明は、乗りかごの休止階を選択決定するエレベータのパーキング運転制御装置に関する。
【背景技術】
【０００２】
台風や異常気象による集中豪雨などの大雨により、道路の下水溝から溢れ出た雨水が建屋内に浸水し、エレベータホールなどから昇降路内に入り込むケースが増えている。
【０００３】
そこで、雨水が昇降路内に入り込んで乗りかごかご上部の機器に被害を与えるのを防ぐために、エレベータのパーキング運転制御装置が提案されている。
【０００４】
従来のパーキング運転制御装置は、各階にそれぞれパーキングスイッチを取り付け、必要な階のパーキングスイッチを操作したとき、そのスイッチの操作階に乗りかごを休止させるものである（特許文献１）。
【０００５】
しかし、以上のようなエレベータは、昇降路内に雨水が入り込んだとき、建屋の管理者が上層階に行ってパーキングスイッチを操作した後、階段を利用して下層の所定階に降りなければならず、肉体的苦痛ないし負担が大きい。
【０００６】
そこで、以上のような問題を解決するために、エレベータを運転状態と停止状態とに切替えるパーキングスイッチの他に、エレベータの乗りかごを最上階近辺に休止させるための避難休止スイッチを設け、水害時に避難休止スイッチを操作してエレベータの乗りかごを最上階近辺に休止させるエレベータの運転装置がある（特許文献２）。
【０００７】
さらに、他のエレベータのパーキング運転制御装置としては、平常運転と避難階休止運転とを切替えるパーキングスイッチを設け、特別なパーキングスイッチの取り付けることなく、パーキングスイッチの切替えにより乗りかごを避難階に運転休止させる構成のものがある（特許文献３）。
【特許文献１】実開平０３−１８０７１号公報
【特許文献２】実開平０５−２５４７５２号公報
【特許文献３】実開平０７−２７７６１１号公報
【発明の開示】
【発明が解決しようとする課題】
【０００８】
しかしながら、特許文献２による運転装置においては、パーキングスイッチとは異なる構造の新たな避難休止スイッチを設置しているので、エレベータを休止させるための設置費に多くの費用が掛かる問題がある。
【０００９】
また、特許文献３による運転装置においては、雨量に拘らず、パーキングスイッチを操作したとき、乗りかごを基準階に呼び寄せた後に避難階へ送って運転休止とするので、当該運転休止に伴い、無駄な電力を消費してしまう問題がある。
【００１０】
本発明は上記事情に鑑みてなされたもので、新たなパーキングスイッチを設けることなく、乗りかごの休止階を適宜に基準階または避難階である最上階に決定し休止させ得るエレベータのパーキング運転制御装置を提供することを目的とする。
【課題を解決するための手段】
【００１１】
上記課題を解決するために、本発明は、基準階のエレベータホールに設置され、ホール呼びボタンと通常運転、休止運転の何れかに切替え設定するパーキングスイッチとを有するホール操作パネルと、エレベータの運転制御を実行するエレベータ制御手段とを備え、
このエレベータ制御手段は、前記パーキングスイッチが休止運転に切替え設定されたとき、前記ホール呼びボタンの上階行きボタンの所定操作の有無を判断し、前記休止階を最上階または基準階に決定する休止階決定手段と、前記休止階が最上階と決定された場合、前記乗りかごを前記基準階へ運転して乗客を降ろし、前記最上階へ移動して休止させる休止運転制御手段とを設けたエレベータのパーキング運転制御装置である。
【００１２】
なお、エレベータ制御手段としては、前記休止階決定手段により前記休止階が最上階と決定された後に前記乗りかごを前記基準階に到着させるときに、予め定めた避難休止案内のメッセージを送出し乗りかご内の音声出力器から報知するようにしてもよい。
【００１３】
さらに、エレベータ制御手段としては、前記休止階決定手段により休止階が最上階と決定された後に乗りかごを基準階に到着させるときに、予め定めた避難休止案内のメッセージデータを送出し基準階のエレベータホールに設置されたホール表示部に表示するようにしてもよい。
【００１４】
さらに、前記上階行きボタンが所定操作無しと判断した場合でも、外部の天気情報を取得し、大雨を予測したときに自動的に休止階を最上階と決定してもよい。
【発明の効果】
【００１５】
本発明によれば、新たなパーキングスイッチを設けることなく、乗りかごの休止階を適宜に基準階または避難階である最上階に決定し休止させることができる。
【発明を実施するための最良の形態】
【００１６】
以下、本発明の実施形態について図面を参照して説明する。  
（第１の実施の形態）  
図１本発明に係るエレベータのパーキング運転制御装置の第１の実施形態を示す構成図である。
【００１７】
このエレベータのパーキング運転制御装置は、各階のエレベータホール１にホールドア２が設置され、そのうち建屋の基準階となる例えば１階のホールドア２の一側方近傍にはホール操作パネル３が設置されている。
【００１８】
ホール操作パネル３にはホール呼びボタン４及びパーキングスイッチ５が設けられている。パーキングスイッチ５は、図２に示すようにエレベータの通常運転を設定する通常運転設定部５ａ（ＲＵＮ）と、エレベータの運転を休止させる休止運転設定部５ｂ（ＰＡＫ）５ｂと、キーガイド５ｃとが設けられ、図示しないキースイッチをキーガイド５ｃに挿入し、当該キースイッチを回して通常運転設定部５ａに設定することにより、通常運転指示信号を出力し、休止運転設定部５ｂに設定することにより、休止運転指示信号を出力する。
【００１９】
前記ホール呼びボタン４によるホール呼び操作信号やキースイッチの切替え設定による指示信号はエレベータ制御盤６に送られる。エレベータ制御盤６は、ホール呼びボタン４からホール呼び操作信号を受けて呼び登録をした後、この呼び登録に基づく運転制御指令のもとに巻上機７を駆動制御し、乗りかご８を呼び登録階のエレベータホール１に走行運転する。９は巻上機７に掛け渡されている主索、１０は釣合いおもりである。
【００２０】
エレベータ制御盤６は、キースイッチの切替え設定による指示信号，例えば通常運転指示信号を受けると、従来一般的に行われている通常運転を実施するが、例えば休止運転指示信号を受けたとき、記憶部１１に格納されるパーキング処理用プログラムに従い、パーキング運転を実施する。
【００２１】
このエレベータ制御盤６としては、パーキング運転の処理動作に関し、機能的には、休止階決定手段６Ａ及び休止運転制御手段６Ｂが設けられている。
【００２２】
次に、以上のように構成されたエレベータのパーキング運転制御装置におけるパーキング運転の処理動作について、図３を参照して説明する。  
大雨などによりエレベータホール１から昇降路内に雨水が流れ込む恐れがある場合、建屋の管理人は、キースイッチ（図示せず）を持って基準階のエレベータホール１のホール操作パネル３に出向き、ホール呼びボタン４とパーキングスイッチ５との組み合わせ操作を行う。例えばホール呼びボタン４の上階行きボタンを押しながら、パーキングスイッチ５を通常運転設定部５ａ（ＲＵＮ）から休止運転設定部５ｂ（ＰＡＫ）５ｂに切替え設定すると、ホール操作パネル３から上階行き呼び指示信号及び休止運転指示信号がエレベータ制御盤６に送られる。このとき、エレベータ制御盤６は、記憶部１１に格納されるパーキング処理用プログラムに基づき、休止階決定手段６Ａを実行する。
【００２３】
休止階決定手段６Ａは、所定周期ごとにキースイッチが休止運転設定部５ｂ（ＰＡＫ）側に設定されているか否かを判断し（Ｓ１１）、休止運転設定部５ｂ（ＰＡＫ）側に設定されていないと判断されたときには通常運転を継続する（Ｓ１２）。
【００２４】
一方、ステップＳ１１において、キースイッチが休止運転設定部５ｂ（ＰＡＫ）側に設定されていると判断されたとき、上階行きボタンが押し続けられているか否かを判断する（Ｓ１３）。ここで、上階行きボタンが押し続けられているとき、休止階を最上階と決定するが、上階行きボタンが押されていない場合には通常のパーキング運転と判断し、予め定める所定の階，例えば基準階へ運転し休止する（Ｓ１４）。
【００２５】
エレベータ制御盤６は、休止階を最上階と決定したとき、休止運転制御手段６Ｂを実行する。
【００２６】
休止運転制御手段６Ｂは、パーキングスイッチ５を設けているエレベータホールである基準階に呼び寄せ（Ｓ１５）、ホールドア２（以下、かごドアを含む）を開けて乗客を降ろした後（Ｓ１６）、ホールドア２を閉じる（Ｓ１７）。
【００２７】
なお、ホールドア２が開いているとき、パーキングスイッチ５の操作者である管理人などは乗りかご８内に乗客がいるか否かを確認し、乗りかご８内に乗客がいる場合には急いで降りることを伝える。
【００２８】
エレベータ制御盤６は、ホールドア２が閉じたことを検知すると、前述した休止階決定手段６Ａにて休止階と判断された最上階に向けて運転する（Ｓ１８）。乗りかご８が最上階に到着したことを検出すると、運転休止状態に入る（Ｓ１９）。
【００２９】
しかる後、所定の周期ごとにキースイッチが休止運転設定部５ｂ（ＰＡＫ）側から通常運転設定部５ａ（ＲＵＮ）側に切替えられたか否かを判断し（Ｓ２０）、切替えられていない場合にはステップＳ１９に戻ってエレベータの運転休止を継続し、通常運転設定部５ａ（ＲＵＮ）側に切替えられている場合にはステップＳ１２に移行し、通常運転を実行する。
【００３０】
また、他の実施の形態例としては、キースイッチをキーガイド５ｃに挿入し、休止運転設定部５ｂ（ＰＡＫ）側に切替え設定した後、所定秒（例えば２秒）以内に上階行きボタンを複数回（例えば２回）押したとき、エレベータの休止階を最上階と決定してもよい。
【００３１】
従って、以上のような実施の形態によれば、ホール呼びボタン４とパーキングスイッチ５とを組み合わせることにより、特別なパーキングスイッチを新たに設けることなく、上階行きボタンが押されたときには休止階を最上階と決定し、上階行きボタンが押されていないときには休止階を所定階（基準階）と決定し、乗りかご８を休止させることができる。
【００３２】
また、休止階を決定した後、乗りかごを基準階に運転し、乗客を降ろした後、休止階である最上階に直行し休止するので、基準階の到着時に乗りかご８内の乗客の有無を確認でき、安全を期すことができる。
【００３３】
（第２の実施の形態）  
この実施の形態は、図４に示すように乗りかご８内のかごドア２１側に隣接する側板２２などにスピーカなどの音声出力器２３を設置するとともに、エレベータ制御盤６には、図５に示すように休止階決定手段６Ａ及び休止運転制御手段６Ｂの他、新たに報知手段６Ｃを設け、乗りかご８内の音声出力器２３から避難休止案内に関する所定のメッセージを出力する構成である。
【００３４】
その他の構成については、図１、図２と同様であるので、図１，図２の説明に譲り、ここでは説明を省略する。
【００３５】
この実施の形態におけるパーキング運転の処理動作について、図６を参照して説明する。なお、図６は図３とほぼ同様の処理動作を行うので、重複部分は簡単に説明する。
【００３６】
エレベータ制御盤６の休止階決定手段６Ａは、キースイッチが休止運転設定部５ｂ（ＰＡＫ）側に切替え設定されているか否かを判断し（Ｓ１１）、休止運転設定部５ｂ（ＰＡＫ）側に設定されていないと判断したときには通常運転を継続する（Ｓ１２）。
【００３７】
キースイッチが休止運転設定部５ｂ（ＰＡＫ）側に切替え設定されていると判断したときには、上階行きボタンが押し続けた状態にあるか否かを判断する（Ｓ１３）。上階行きボタンが押し続けている場合には、乗りかご８の休止階を最上階であると決定するが、上階行きボタンが押されていない場合には通常のパーキング運転と判断し、予め定める所定の階，例えば基準階へ運転し休止する（Ｓ１４）
エレベータ制御盤６は、乗りかご８の休止階を最上階と決定したとき、休止運転制御手段６Ｂを実行する。休止運転制御手段６Ｂは、パーキングスイッチ５を設置している基準階に呼び寄せ（Ｓ１５）、ホールドア２が開いたことを検知したとき（Ｓ１６）、報知手段６Ｃを実行する。
【００３８】
この報知手段６Ｄは、予め記憶部１１に避難休止案内に関するメッセージデータ、例えば乗りかご８の到着階及び最上階に避難して休止するメッセージデータが記憶され、ホールドア２が開いたことを検知したとき（Ｓ１６）、記憶部１１からメッセージデータを読み出し、乗りかご８に接続されるテールコード（図示せず）を介して当該乗りかご８内の音声出力器２３に送出し、「基準階に到着した後、雨水の浸入の為に最上階に避難します」などのメッセージをアナウンスする（Ｓ２１）。
【００３９】
しかる後、エレベータ制御盤６は、ホールドア２が閉じたことを検知すると（Ｓ１７）、再び休止運転制御手段６Ｂを実行し、Ｓ１８〜Ｓ２０の処理を行う。ステップＳ１８〜Ｓ２０の具体的な処理は図３で説明しているので、省略する。
【００４０】
また、他の実施の形態例としては、乗りかご８内に新たに音声出力器２３を設置する代わりに、例えば従来から一般的に使用されているインターホン２４からメッセージを出力する構成であってもよい。
【００４１】
従って、以上のような実施の形態によれば、乗りかご８が基準階に到着したとき、乗りかご８内に設けた音声出力手段２３または２４から雨水の侵入により最上階に避難し運転休止するメッセージを乗客に知らせるので、ホール呼びボタン４とパーキングスイッチ５との組み合わせ操作によって、乗りかごの休止階が基準階または最上階の何れかであることを乗客に確実に知らせることができる。
【００４２】
（第３の実施の形態）  
この実施の形態は、図７に示すように建屋の基準階となる例えば１階のホールドア２の一側方近傍のホール操作パネル３に、ホール呼びボタン４及びパーキングスイッチ５の他に、新たにホール表示部３１を設けた構成である。
【００４３】
なお、ホール表示部３１としては、ホール操作パネル３に設けることなく、従来から一派に用いられている、例えばかご居場所や乗りかご８の進行方向を表示する表示部であってもよい。
【００４４】
エレベータ制御盤６には、機能的には、図８に示すように休止階決定手段６Ａ、休止運転制御手段６Ｂの他に、表示制御手段６Ｄが設けられている。
【００４５】
その他の構成は、図１，図２と同様であるので、ここでは図１，図２の説明に譲る。
【００４６】
次に、この実施の形態におけるパーキング運転の処理動作について、図９を参照して説明する。なお、図９は図３、図６とほぼ同様の処理動作であるので、重複部分はそれらの図の説明に譲る。
【００４７】
先ず、エレベータ制御盤６は休止階決定手段６Ａを実行する。休止階決定手段６Ａは、ステップＳ１３において、キースイッチが休止運転設定部５ｂ（ＰＡＫ）側に設定され、かつ、上階行きボタンが押されていると判断したとき、休止階を最上階と決定した後、記憶部１１の所定エリアに最上階を設定した後、表示制御手段６Ｄを実行する。
【００４８】
表示制御手段６Ｄは、記憶部１１の所定エリアに設定された最上階に基づき、エレベータホール１の表示部３１に対して、例えば「避難休止」または「最上階避難休止」なる表示データを送信し表示する（Ｓ３１）。
【００４９】
エレベータ制御盤６は、表示制御手段６Ｄを実行した後、図３や図６と同様な処理動作を実行するので、ここではその説明を省略する。
【００５０】
従って、この実施の形態によれば、第１の実施の形態と同様の効果を奏する他、乗客は、避難休止を確認することにより、エレベータホール１に待機することなく、また乗りかご８に乗り込むのを控えることにより、円滑に避難休止運転に移行させることができる。
【００５１】
なお、他の実施の形態としては、休止階を決定した後、ホール呼びボタン４の上行きボタンを点灯させることにより、最上階に休止することを報知してもよい。
【００５２】
これにより、休止階を決定した後、エレベータホール１に設けたホール表示部３１に最上階へ避難し運転を休止することをパーキングスイッチ４の操作者に知らせるので、自身が操作した休止階が基準階あるいは最上階の何れであるかを容易に判断できる。
【００５３】
（第４の実施の形態）  
この実施の形態は、図１、図２または図７、図８、図９とほぼ同様な構成及び処理動作であり、特に異なるところは、エレベータ制御盤６が有線または無線のネットワークを介して天気情報提供サービス機関と接続され、必要なときに天気情報提供サービス機関から提供されている天気情報を受信する。そして、比較的近い時間に大雨と判断されたとき、自動的に休止階を最上階と決定し、必要に応じて第３の実施の形態と同様にホール表示部３１に例えば「避難休止」または「最上階避難休止」なる表示データを送信し表示する構成である。
【００５４】
エレベータ制御盤６によるパーキング運転に関する処理動作としては、図１０に示す通りである。すなわち、エレベータ制御盤６の休止階決定手段６Ａは、ステップＳ１３において、キースイッチが休止運転設定部５ｂ（ＰＡＫ）側に切替え設定され、かつ、上階行きボタンが押されていないとき、天気情報提供サービス機関からネットワークを介して送信されてくる天気情報を受信し、この天気情報に基づき、近い時間，例えば１時間（３時間、６時間）以内に大雨が降るか否かを判断する（Ｓ４１）。この判断は、例えば設定時間と大雨に相当する設定降雨量が設定され、天気情報から得られる予想時間内における予想降雨量と設定時間及び設定降雨量とを比較し、大雨が降るか否かを判断する。
【００５５】
ここで、大雨が降らないと判断されたとき、通常のパーキング運転と判断し、予め定める所定の階，例えば基準階へ運転し休止する（Ｓ１４）。一方、大雨が降ると判断されたとき、自動的に休止階が最上階であると判断する。
【００５６】
そこで、エレベータ制御盤６は、ステップＳ１３において、キースイッチが休止運転設定部５ｂ（ＰＡＫ）側に切替え設定され、かつ、上階行きボタンが押されているとき、またはステップＳ４１において、自動的に休止階が最上階であると判断したとき、記憶部１１の所定エリアに最上階を設定した後、表示制御手段６Ｄを実行する。
【００５７】
この表示手段６Ｅは、図９で説明したように記憶部１１の所定エリアに設定された最上階に基づき、エレベータホール１の表示部３１に対して、例えば「避難休止」または「最上階避難休止」なる表示データを送信し表示する（Ｓ３１）。
【００５８】
エレベータ制御盤６は、表示制御手段６Ｄを実行した後、図３や図６と同様な処理動作を実行するので、ここではその説明を省略する。
【００５９】
なお、他の実施の形態としては、天気情報提供サービス機関からネットワークを介して天気情報を取得したが、例えば気象レーダから降雨情報を取り込むようにしてもよい。
【００６０】
従って、以上のような実施の形態によれば、パーキングスイッチ５の操作者が近い時間の天気情報を考慮せずに休止階を基準階に選択してしまっても、天気情報から近い時間に大雨が降ると判断された場合、自動的に休止階を最上階と判断するので、乗りかご８を最上階へ確実に避難させることができる。
【００６１】
その他、本発明は、上記実施の形態に限定されるものでなく、その要旨を逸脱しない範囲で種々変形して実施することが可能である。
【図面の簡単な説明】
【００６２】
【図１】本発明に係るエレベータのパーキング運転制御装置の実施の形態を示す全体構成図。
【図２】図１に示すパーキングスイッチの一例としての正面図。
【図３】エレベータ制御盤のパーキング運転における処理動作を説明するフロー図。
【図４】本発明に係るエレベータのパーキング運転制御装置の第２の実施形態を説明する乗りかごのかごドア側を見た図。
【図５】エレベータ制御盤のパーキング運転処理の機能的なブロック構成図。
【図６】エレベータ制御盤のパーキング運転における処理動作を説明するフロー図。
【図７】本発明に係るエレベータのパーキング運転制御装置の第３の実施形態を説明するエレベータホールのホールドア側を見た図。
【図８】エレベータ制御盤のパーキング運転処理の機能的なブロック構成図。
【図９】エレベータ制御盤のパーキング運転における処理動作を説明するフロー図。
【図１０】本発明に係るエレベータのパーキング運転制御装置の第４の実施形態を説明するエレベータ制御盤のパーキング運転における処理動作を説明するフロー図。
【符号の説明】
【００６３】
１…エレベータホール、２…ホールドア、３…ホール操作パネル、４…ホール呼びボタン、５…パーキングスイッチ、５ａ…通常運転設定部、５ｂ…休止運転設定部、５ｃ…キーガイド、６…エレベータ制御盤、６Ａ…休止階決定手段、６Ｂ…休止運転制御手段、６Ｃ…報知手段、６Ｄ…表示制御手段、８…乗りかご、１１…記憶部。
【図１】
2009249171.tif 000003
【図２】
2009249171.tif 000004
【図３】
2009249171.tif 000005
【図４】
2009249171.tif 000006
【図５】
2009249171.tif 000007
【図６】
2009249171.tif 000008
【図７】
2009249171.tif 000009
【図８】
2009249171.tif 000010
【図９】
2009249171.tif 000011
【図１０】
2009249171.tif 000012